(57)【要約】【課題】  取り扱いが容易な標示旗を提供する。【解決手段】  鉄塔のアングル部材１００を挟持するクリップ５が設けられたベース部２と、棒状で、ベース部２に接続された旗取付部３と、旗取付部３に配設され、所定の標記が標示された旗本体４と、を備え、クリップ５は、手で摘むことで挟持部５１、５１が開き、摘みを解除することで挟持部５１、５１がアングル部材１００を挟持するようになっている。【選択図】  図１
2015228763.tif 000002
【特許請求の範囲】
【請求項１】
送電鉄塔を含む構造体に着脱自在に取り付けられる標示旗であって、
前記構造体の被取付部を挟持する挟持手段が設けられたベース部と、
棒状で、前記ベース部に接続された旗取付部と、
前記旗取付部に配設され、所定の標記が標示された旗本体と、
を備え、
前記挟持手段は、手で摘むことで挟持部が開き、摘みを解除することで前記挟持部が前記被取付部を挟持するようになっている、ことを特徴とする標示旗。
【請求項２】
前記旗取付部は前記ベース部に対して回動自在となっている、ことを特徴とする請求項１に記載の標示旗。
【請求項３】
前記旗取付部は折り畳み自在となっている、ことを特徴とする請求項１または２のいずれか１項に記載の標示旗。
【発明の詳細な説明】
【技術分野】
【０００１】
この発明は、「危険」などの所定の標記（文字、記号、絵など）が標示された標示旗に関し、特に送電鉄塔などの構造体に着脱自在に取り付けられる標示旗に関する。
【背景技術】
【０００２】
例えば、送電線の活線近接作業時においては、充電側の回路に作業員が接近しないように、「危険」が標示された標示旗（危険区画標示旗）を送電鉄塔に取り付ける。すなわち、標示旗を安全帯のフックにぶら下げたり、工具袋に入れたりして作業員が送電鉄塔に昇り、送電鉄塔の部材に標示旗をボルトで取り付けるものである。また、送電鉄塔に既設されたボルト余長部に固定ナットを螺合させ、固定ナットの先端に旗のポールを取り付ける技術が知られている（例えば、特許文献１参照。）。
【先行技術文献】
【特許文献】
【０００３】
【特許文献１】特開２０１０−０６６６９６号公報
【発明の概要】
【発明が解決しようとする課題】
【０００４】
ところで、送電鉄塔上では、足場が不安定で作業姿勢が制限されるため、作業がしづらく、ボルトやナットの締め付けや取り外しに労力と時間とを要する。しかも、特許文献１の技術では、ボルト余長部が既設されていない箇所には、標示旗を取り付けることができない。また、標示旗が重いと、作業員が標示旗を持って送電鉄塔を昇降する際に、作業員の腰などに負担がかかり、しかも、複数の標示旗を取り付ける場合、作業員が複数の標示旗を持って送電鉄塔を昇降しなければならず、多大な負担がかかる。さらに、標示旗が大きいと、作業員が標示旗を持って送電鉄塔を昇降する際に、標示旗を落下させるおそれがある。このようなことから、取り扱いが容易な標示旗が求められている。
【０００５】
そこでこの発明は、取り扱いが容易な標示旗を提供することを目的とする。
【課題を解決するための手段】
【０００６】
上記課題を解決するために、請求項１の発明は、送電鉄塔を含む構造体に着脱自在に取り付けられる標示旗であって、前記構造体の被取付部を挟持する挟持手段が設けられたベース部と、棒状で、前記ベース部に接続された旗取付部と、前記旗取付部に配設され、所定の標記が標示された旗本体と、を備え、前記挟持手段は、手で摘むことで挟持部が開き、摘みを解除することで前記挟持部が前記被取付部を挟持するようになっている、ことを特徴とする。
【０００７】
この発明によれば、挟持手段を手で摘んで挟持部を開き、摘みを解除して挟持部で被取付部を挟持することで、旗本体が構造体の被取付部に取り付けられる。
【０００８】
請求項２の発明は、請求項１に記載の標示旗において、前記旗取付部は前記ベース部に対して回動自在となっている、ことを特徴とする。
【０００９】
請求項３の発明は、請求項１または２に記載の標示旗において、前記旗取付部は折り畳み自在となっている、ことを特徴とする。
【発明の効果】
【００１０】
請求項１の発明によれば、挟持手段を手で摘んで摘みを解除するだけで、旗本体を構造体に取り付けることができ、取り扱いが容易である。つまり、標示旗を容易かつ迅速に取り付けたり取り外したりすることができる。しかも、挟持手段が、手で摘んで摘みを解除することで被取付部を挟持するようになっているだけであるため、構成が簡易で、小型化および軽量化が可能となる。この結果、標示旗を持って構造体を昇降する際に、作業員への負担が軽減され、さらに、標示旗の落下が抑制されて、取り扱いが容易となる。
【００１１】
請求項２の発明によれば、旗取付部がベース部に対して回動自在となっているため、旗取付部を回動させることで旗本体の配設位置・方向を変えることができる。つまり、旗取付部を回動させるだけで、旗本体を所望・所定の位置に配設することができ、取り扱いが容易となる。また、旗取付部を回動させてベース部に重ねることで、標示旗全体を小さくすることができ、取り扱いが容易となる。
【００１２】
請求項３の発明によれば、旗取付部が折り畳み自在となっているため、旗取付部を折り畳むことで、標示旗全体を小さくすることができ、取り扱いが容易となる。
【図面の簡単な説明】
【００１３】
【図１】この発明の実施の形態に係る標示旗を示す正面図（ａ）と平面図（ｂ）である。
【図２】図１の標示旗のベース部を示す平面図である。
【図３】図２のＡ−Ａ断面図である。
【図４】図１の標示旗の旗取付部を折り畳んだ状態を示す正面図である。
【図５】図４の状態から旗本体を旗取付部に巻いた状態を示す正面図である。
【発明を実施するための形態】
【００１４】
以下、この発明を図示の実施の形態に基づいて説明する。
【００１５】
図１は、この発明の実施の形態に係る標示旗１を示す正面図（ａ）と平面図（ｂ）である。この標示旗１は、送電鉄塔を含む構造体に着脱自在に取り付けられる旗であり、この実施の形態では、送電鉄塔のアングル部材（被取付部）１００に取り付ける危険区画標示旗の場合について説明する。この標示旗１は、主として、ベース部２と、旗取付部３と、旗本体４と、を備えている。
【００１６】
ベース部２は、板棒状で、アングル部材１００を挟持するクリップ（挟持手段）５が設けられている。すなわち、図２、図３に示すように、断面がやや弓なりに反り、バネ性・弾性を有した長尺体で、両端側にクリップ５が設けられ、一方の端部に接続板２１が取り付けられている。この接続板２１は、四角い板状で、後述する第２のピン３４が挿入される回転孔２１ａが中央部に形成され、ベース部２の長手方向の一端縁（下端縁）に取り付けられている。
【００１７】
クリップ５は、ベース部２の長手方向の両端縁から、ベース部２の面に対して略垂直方向に延びる挟持部５１、５１を有している。この挟持部５１、５１は、四角い板状でバネ性・弾性を有し、対向して設けられている。
【００１８】
また、各挟持部５１の表面側には、挟持部５１の自由端部からベース部２を突出して延びる摘み部５２が配設されている。そして、２つの摘み部５２、５２を手で摘むことで、ベース部２を支点に挟持部５１、５１の自由端部側が開き、摘み部５２、５２を離して摘みを解除することで、挟持部５１、５１の自由端部側が閉じて、挟持部５１、５１でアングル部材１００などの対象物を挟持できるようになっている。このように、ベース部２と挟持部５１と摘み部５２とによって、ターンクリップ（ダブルクリップ）のようなクリップ５が構成されている。
【００１９】
ここで、摘み部５２の長さ（ベース部２からの突出量）は、挟持部５１、５１を容易に開閉できるように設定されている。また、各挟持部５１の大きさおよびクリップ５の挟持力（バネ係数）は、アングル部材１００を強固に挟持して、標示旗１がアングル部材１００から容易に外れないように設定されている。
【００２０】
旗取付部３は、棒状で、ベース部２に接続された部材である。すなわち、図１に示すように、板棒状の第１の取付バー３１と第２の取付バー３２とを有し、第１の取付バー３１の一端部と第２の取付バー３２の一端部とは、第１のピン３３を介して回動自在に接続されている。そして、例えば、第２の取付バー３２を第１の取付バー３１側に回動させることで、旗取付部３が折り畳み自在となっている。
【００２１】
また、第１の取付バー３１の他端部は、第２のピン３４を介してベース部２の接続板２１に回動自在に接続されている。これにより、第１の取付バー３１つまり旗取付部３が、ベース部２に対して回動自在となっている。このような第１の取付バー３１と第２の取付バー３２の長さは、旗本体４を配設でき、かつ、後述するようにして旗取付部３を折り畳んでベース部２側に回動させた際に、標示旗１全体が小さくまとまるように設定されている。
【００２２】
旗本体４は、旗取付部３に配設され、所定の標記が標示されたものである。すなわち、シート状で、少なくとも一方の面に、この実施の形態は、「危険」という文字が記され、上辺部が旗取付部３の長手方向に沿って旗取付部３に接続されている。
【００２３】
次に、このような構成の標示旗１の作用や使用方法などについて説明する。
【００２４】
まず、作業員が必要数の標示旗１を持って送電鉄塔を昇る。この際、図４に示すように、第２の取付バー３２を第１の取付バー３１側に回動させて、旗取付部３および旗本体４を折り畳み、さらに、図５に示すように、折り畳んだ旗取付部３に旗本体４を巻き付ける。そして、旗本体４が巻かれた旗取付部３をベース部２に重ねるように回動させて、標示旗１全体を小さく（折り畳み傘のように）まとめ、このような状態で標示旗１を工具袋や腰袋などに入れて送電鉄塔を昇る。ここで、標示旗１全体を小さくまとめた状態では、旗本体４がベース部２と旗取付部３とで挟まれ、旗本体４の巻き状態が保持される。
【００２５】
次に、送電鉄塔の所定・所望のアングル部材１００に標示旗１を取り付ける。すなわち、標示旗１を工具袋などから取り出し、各クリップ５でアングル部材１００を挟持する。この際、摘み部５２、５２を手で摘んで挟持部５１、５１を開き、挟持部５１、５１間にアングル部材１００を挿入して摘み部５２、５２を離せばよい。そして、旗取付部３をベース部２から離すように回動させ、旗本体４の巻きを解き、第２の取付バー３２を回動させて旗取付部３および旗本体４を広げる。続いて、旗取付部３を回転させて旗本体４を所望の方向に位置させるものである。
【００２６】
一方、作業が終了して標示旗１を撤去する場合には、まず、上記と同様に、第２の取付バー３２を回動させて旗取付部３および旗本体４を折り畳み、旗取付部３に旗本体４を巻き付けて、旗取付部３をベース部２に重ねるように回動させる。次に、標示旗１をアングル部材１００から取り外す。この際、各クリップ５の摘み部５２、５２を手で摘んで挟持部５１、５１の開き、挟持部５１、５１をアングル部材１００から引き出せばよい。そして、小さくまとめた標示旗１を工具袋などに入れて送電鉄塔を降りるものである。
【００２７】
以上のように、本標示旗１によれば、クリップ５の摘み部５２、５２を手で摘むだけで、容易かつ迅速に標示旗１をアングル部材１００に取り付けたり取り外したりすることができ、取り扱いが容易である。さらに、クリップ５が、ターンクリップのように手で摘んで離すだけの構造であるため構成が簡易で、しかも、ベース部２や旗取付部３が板棒状であるため、小型化および軽量化が可能となる。
【００２８】
また、旗取付部３がベース部２に対して回動自在なため、旗取付部３を回動させることで旗本体４の配設位置・方向を変えることができる。つまり、旗取付部３を回動させるだけで、旗本体４を所望・所定の位置に配設することができ、取り扱いが容易となる。
【００２９】
また、旗取付部３を回動させてベース部２に重ねることで、標示旗１全体を小さくすることができる。しかも、旗取付部３が折り畳み自在となっているため、旗取付部３を折り畳むことで、標示旗１全体をより小さくすることができる。このようにして標示旗１全体を小さくまとめることができ、さらに、上記のように小型化および軽量化が可能なため、標示旗１を持って送電鉄塔を昇降する際に、作業員の負担・疲労が軽減されるとともに、標示旗１が工具袋などから落下するのが抑制される。このようにして取り扱い（昇降など）が容易となり、安全性も向上する。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ベース部２に２つのクリップ５を設けているが、クリップ５の挟持力や旗本体４の大きさ（受ける風力）、あるいは標示旗１の重量などに応じて、３つ以上のクリップ５を設けてもよい。また、ベース部２に対して一体的にクリップ５を設けているが、ターンクリップのようなクリップを別体としてベース部２に配設するようにしてもよい。さらに、ベース部２の全長にわたって挟持部５１、５１を設け、複数の摘み部５２、５２で挟持部５１、５１を開閉するようにしてもよい。つまり、ベース部２全体をターンクリップのようなクリップにしてもよい。
【符号の説明】
【００３１】
１        標示旗
２        ベース部
３        旗取付部
３１      第１の取付バー
３２      第２の取付バー
４        旗本体
５        クリップ（挟持手段）
５１      挟持部
５２      摘み部
１００    アングル部材（被取付部）
【図１】
2015228763.tif 000003
【図２】
2015228763.tif 000004
【図３】
2015228763.tif 000005
【図４】
2015228763.tif 000006
【図５】
2015228763.tif 000007